(57)【要約】【課題】ユーザ操作によってドアミラーの鏡面の角度調整がなされる際に、当該角度調整がなされるドアミラーをユーザが容易に判別できるようにすること。【解決手段】ドアミラーと、ドアミラーの鏡面角度を調整する角度調整装置と、左右に設けられている表示部とを備えた車両用のドアミラー表示制御装置であって、車両が所定の停止状態にあるか否かを判断する停止判断部と、停止判断部によって車両が所定の停止状態にあると判断されているときに、ユーザによりドアミラーの鏡面角度の調整操作がなされた場合、当該調整操作の対象とされた左または右のドアミラーに対応する表示部に表示動作を行わせる表示制御部とを備える。【選択図】図１
2020059294.tif 000002
【特許請求の範囲】
【請求項１】
ドアミラーと、前記ドアミラーの鏡面角度を調整する角度調整装置と、左右に設けられている表示部とを備えた車両用のドアミラー表示制御装置であって、
車両が所定の停止状態にあるか否かを判断する停止判断部と、
前記停止判断部によって前記車両が前記所定の停止状態にあると判断されているときに、ユーザにより前記ドアミラーの鏡面角度の調整操作がなされた場合、当該調整操作の対象とされた左または右の前記ドアミラーに対応する前記表示部に表示動作を行わせる表示制御部と
を備えるドアミラー表示制御装置。
【発明の詳細な説明】
【技術分野】
【０００１】
本発明は、ドアミラー表示制御装置に関する。
【背景技術】
【０００２】
下記特許文献１には、運転者がシートの位置を調整して着座し、ルームミラーの鏡面を後方視認に好適な傾斜角度に調整すると、シートの位置とルームミラーの鏡面の傾斜角度とに基づいてドアミラーの鏡面の目標角度を決定し、ドアミラーの鏡面の傾斜角度が目標角度となるように、ドアミラーの鏡面の傾斜角度を自動制御する技術が開示されている。
【先行技術文献】
【特許文献】
【０００３】
【特許文献１】特開２０１４−０３４２８１号公報
【発明の概要】
【発明が解決しようとする課題】
【０００４】
ところで、従来技術では、ユーザによるスイッチ操作によってドアミラーの鏡面の角度調整を行う際に、実際にドアミラーの鏡面の角度調整動作が行われるまで、左右どちらのドアミラーの鏡面の角度調整がなされるかを、ユーザが判別することは困難であった。
【０００５】
本発明は、上述した従来技術の課題を解決するため、ユーザ操作によってドアミラーの鏡面の角度調整がなされる際に、当該角度調整がなされるドアミラーをユーザが容易に判別できるようにすることを目的とする。
【課題を解決するための手段】
【０００６】
本開示の一態様のドアミラー表示制御装置は、ドアミラーと、ドアミラーの鏡面角度を調整する角度調整装置と、左右に設けられている表示部とを備えた車両用のドアミラー表示制御装置であって、車両が所定の停止状態にあるか否かを判断する停止判断部と、停止判断部によって車両が所定の停止状態にあると判断されているときに、ユーザによりドアミラーの鏡面角度の調整操作がなされた場合、当該調整操作の対象とされた左または右のドアミラーに対応する表示部に表示動作を行わせる表示制御部とを備える。
【発明の効果】
【０００７】
ユーザ操作によってドアミラーの鏡面の角度調整がなされる際に、当該角度調整がなされるドアミラーをユーザが容易に判別できる。
【図面の簡単な説明】
【０００８】
【図１】実施形態に係るドアミラー表示制御装置の機能構成を示すブロック図である。
【図２】実施形態に係るドアミラー表示制御装置による処理の手順を示すフローチャートである。
【発明を実施するための形態】
【０００９】
以下、図面を参照して、本発明の実施形態のドアミラー表示制御装置について説明する。
【００１０】
（ドアミラー角度制御システム１の概要）
図１は、実施形態に係るドアミラー角度制御システム１のシステム構成を示すブロック図である。図１に示すドアミラー角度制御システム１は、ドアミラーを備えた車両に搭載されるシステムであり、ユーザによるドアミラーＳＷ（Switch）の操作に応じて、ドアミラーが有する鏡面の角度調整を行うことが可能なシステムである。
【００１１】
図１に示すように、ドアミラー角度制御システム１は、ドアミラー表示制御装置１０、ドアミラーＳＷ４０、右ドアミラー部５０、および左ドアミラー部６０を備える。
【００１２】
ドアミラーＳＷ４０は、車室内に設けられ、車両が備える右ドアミラー５３および左ドアミラー６３の鏡面の角度を調整するために、ユーザによって操作される。ドアミラーＳＷ４０は、切替ＳＷ４１と、角度調整ＳＷ４２とを有する。切替ＳＷ４１は、角度調整の対象とするドアミラーを、右ドアミラー５３または左ドアミラー６３に切り替えるために、ユーザによって操作される。角度調整ＳＷ４２は、角度調整の対象とされたドアミラーの鏡面の角度調整を行うために、ユーザによって上下方向および左右方向に操作される。例えば、切替ＳＷ４１によって右ドアミラー５３が角度調整の対象とされた状態で、角度調整ＳＷ４２が操作された場合、ドアミラーＳＷ４０は、右ドアミラー５３の鏡面の角度を調整するための右ドアミラー角度調整信号を出力する。反対に、切替ＳＷ４１によって左ドアミラー６３が角度調整の対象とされた状態で、角度調整ＳＷ４２が操作された場合、ドアミラーＳＷ４０は、左ドアミラー６３の鏡面の角度を調整するための左ドアミラー角度調整信号を出力する。
【００１３】
右ドアミラー部５０は、右ドアミラー角度調整装置５２、右ドアミラー５３、および右ドアミラーウインカ５４を備える。右ドアミラー５３は、車両の右ドアに設けられ、車両の右後方を写し出す。右ドアミラー５３は、角度調整が可能な可動式の鏡面を有する。右ドアミラー角度調整装置５２は、ドアミラーＳＷ４０から出力される右ドアミラー角度調整信号に応じて、右ドアミラー５３の内部に設けられたモータの動作を制御することにより、右ドアミラー５３の鏡面の角度を調整する。右ドアミラーウインカ５４は、右ドアミラー５３に設けられており、車両が右折する際に、ユーザによるウインカスイッチの操作に応じて、点滅動作を行う。
【００１４】
左ドアミラー部６０は、左ドアミラー角度調整装置６２、左ドアミラー６３、および左ドアミラーウインカ６４を備える。左ドアミラー６３は、車両の左ドアに設けられ、車両の左後方を写し出す。左ドアミラー６３は、角度調整が可能な可動式の鏡面を有する。左ドアミラー角度調整装置６２は、ドアミラーＳＷ４０から出力される左ドアミラー角度調整信号に応じて、左ドアミラー６３の内部に設けられたモータの動作を制御することにより、左ドアミラー６３の鏡面の角度を調整する。左ドアミラーウインカ６４は、左ドアミラー６３に設けられており、車両が左折する際に、ユーザによるウインカスイッチの操作に応じて、点滅動作を行う。
【００１５】
ドアミラー表示制御装置１０は、右ドアミラー５３の鏡面または左ドアミラー６３の鏡面の角度調整が行われる際に、右ドアミラー５３の鏡面または左ドアミラー６３の鏡面のどちらの角度調整が行われるかをユーザが容易に判別できるように、右ドアミラーウインカ５４または左ドアミラーウインカ６４の点灯を制御する。
【００１６】
例えば、ドアミラー表示制御装置１０は、切替ＳＷ４１によって右ドアミラー５３が角度調整の対象とされた場合、右ドアミラーウインカ５４を点滅させることにより、右ドアミラー５３の鏡面の角度調整が行われることをユーザが視覚的に容易に判別できるようにする。
【００１７】
また、例えば、ドアミラー表示制御装置１０は、切替ＳＷ４１によって左ドアミラー６３が角度調整の対象とされた場合、左ドアミラーウインカ６４を点滅させることにより、左ドアミラー６３の鏡面の角度調整が行われることをユーザが視覚的に容易に判別できるようにする。
【００１８】
なお、図１に示すように、ドアミラー表示制御装置１０は、車載ネットワーク２（例えば、ＣＡＮ（Controller Area Network））を介して、車両に搭載されているＥＣＵ（Electronic Control Unit）２０に接続されている。ＥＣＵ２０は、車両の各部を電子的に制御する装置である。これにより、ドアミラー表示制御装置１０は、車載ネットワーク２を介して、ＥＣＵ２０から、ドアミラーの表示制御のために必要な情報として、車速情報およびシフトポジション情報を取得することが可能である。車速情報は、車両の現在の速度を示す情報である。シフトポジション情報は、車両が備える自動変速機の現在のシフトポジション（例えば、Ｐレンジ、Ｄレンジ、Ｎレンジ、Ｒレンジ等）を示す情報である。なお、図１では、１つのＥＣＵ２０を図示しているが、実際には、車両には、機能別に複数のＥＣＵ（例えば、エンジン制御用ＥＣＵ、トランスミッション制御用ＥＣＵ等）が設けられている場合がある。
【００１９】
（ドアミラー表示制御装置１０の機能構成）
図１に示すように、ドアミラー表示制御装置１０は、情報取得部１１、停止判断部１２、および表示制御部１３を備える。
【００２０】
情報取得部１１は、ドアミラーの表示制御のために必要な各種情報を取得する。例えば、情報取得部１１は、車載ネットワーク２を介して、ＥＣＵ２０から、車速情報およびシフトポジション情報を取得する。また、例えば、情報取得部１１は、ドアミラーＳＷ４０が操作されたときに、当該ドアミラーＳＷ４０から出力された右ドアミラー角度調整信号または左ドアミラー角度調整信号を、車載ネットワーク２を介して取得する。
【００２１】
停止判断部１２は、情報取得部１１によって取得された車速情報およびシフトポジション情報に基づいて、車両が所定の停止状態にあるか否かを判断する。例えば、停止判断部１２は、車速情報が示す車速が「０」であり、且つ、シフトポジション情報が示すシフトポジションが「Ｐレンジ」である場合、車両が所定の停止状態にあると判断する。
【００２２】
表示制御部１３は、停止判断部１２によって車両が所定の停止状態にあると判断されているときに、ユーザによりドアミラーの鏡面角度の調整操作がなされた場合、当該調整操作の対象とされた左ドアミラー６３または右ドアミラー５３に対応するドアミラーウインカ（「表示部」の一例）に、点滅動作（「表示動作」の一例）を行わせる。
【００２３】
例えば、表示制御部１３は、切替ＳＷ４１によって右ドアミラー５３が角度調整の対象として選択されたことにより、ドアミラーＳＷ４０から、右ドアミラー５３が選択されたことを示す右ドアミラー角度調整信号が出力された場合、右ドアミラー５３に設けられている右ドアミラーウインカ５４に点滅動作を行わせる。これにより、ユーザは、右ドアミラー５３の鏡面の角度調整が行われることを視覚的に容易に判別できる。
【００２４】
また、例えば、表示制御部１３は、切替ＳＷ４１によって左ドアミラー６３が角度調整の対象として選択されたことにより、ドアミラーＳＷ４０から、左ドアミラー６３が選択されたことを示す左ドアミラー角度調整信号が出力された場合、左ドアミラー６３に設けられている左ドアミラーウインカ６４に点滅動作を行わせる。これにより、ユーザは、左ドアミラー６３の鏡面の角度調整が行われることを視覚的に容易に判別できる。
【００２５】
なお、表示制御部１３がドアミラーウインカの点滅動作を開始させるタイミングは、切替ＳＷ４１のユーザ操作によって左右いずれかのドアミラーが角度調整の対象として選択されたタイミングであってもよく、角度調整ＳＷ４２のユーザ操作によって左右いずれかのドアミラーの鏡面の角度調整が開始されたタイミングであってもよい。後者の場合、既に、切替ＳＷ４１によって左右いずれかのドアミラーが選択されている状態で、切替ＳＷ４１が操作されることなく、角度調整ＳＷ４２の操作がなされた場合であっても、この角度調整ＳＷ４２の操作がなされたタイミングで、ドアミラーウインカの点滅動作を行わせることができる。
【００２６】
また、表示制御部１３の制御によりドアミラーウインカが行う点滅動作は、通常のウインカ動作時（左折時および右折時）と異なる点滅パターンによるものであってもよい。また、表示制御部１３の制御によりドアミラーウインカが行う表示動作は、点滅動作に限らず、点灯動作であってもよい。
【００２７】
ここで、ドアミラー表示制御装置１０は、ＣＰＵ（Central Processing Unit）、主記憶装置（例えば、ＲＯＭ（Read only Memory）、ＲＡＭ（Random Access Memory）等）、補助記憶装置（例えば、ＨＤＤ（Hard Disk Drive）、フラッシュメモリ等）等のハードウェアを備えて構成されている。上記したドアミラー表示制御装置１０の各機能は、例えば、ドアミラー表示制御装置１０において、主記憶装置または補助記憶装置に記憶されているプログラムをＣＰＵが実行することによって実現される。なお、ドアミラー表示制御装置１０は、車両に搭載される専用の装置によって実現されてもよく、車両に搭載された他の装置（例えば、ＥＣＵ２０）によって実現されてもよい。
【００２８】
（ドアミラー表示制御装置１０による処理の手順）
図２は、実施形態に係るドアミラー表示制御装置１０による処理の手順を示すフローチャートである。図２の処理は、例えば、車両においてイグニッションがＯＮ状態にある間、ドアミラー表示制御装置１０によって繰り返し実行される。
【００２９】
まず、情報取得部１１が、車載ネットワーク２を介して、ＥＣＵ２０から、車速情報およびシフトポジション情報を取得する（ステップＳ２０１）。次に、停止判断部１２が、ステップＳ２０１で取得されたシフトポジション情報が示すシフトポジションが「Ｐレンジ」であるか否かを判断する（ステップＳ２０２）。
【００３０】
ステップＳ２０２において、シフトポジションが「Ｐレンジ」ではないと判断された場合（ステップＳ２０２：Ｎｏ）、ドアミラー表示制御装置１０は、図２に示す一連の処理を終了する。
【００３１】
一方、ステップＳ２０２において、シフトポジションが「Ｐレンジ」であると判断された場合（ステップＳ２０２：Ｙｅｓ）、停止判断部１２が、ステップＳ２０１で取得された車速情報が示す車速が「０」であるか否かを判断する（ステップＳ２０３）。
【００３２】
ステップＳ２０３において、車速が「０」ではないと判断された場合（ステップＳ２０３：Ｎｏ）、ドアミラー表示制御装置１０は、図２に示す一連の処理を終了する。
【００３３】
一方、ステップＳ２０３において、車速が「０」であると判断された場合（ステップＳ２０３：Ｙｅｓ）、停止判断部１２が、車両が停止状態であると判断する（ステップＳ２０４）。
【００３４】
その後、情報取得部１１が、ドアミラーＳＷ４０から右ドアミラー角度調整信号を取得したか否かを判断する（ステップＳ２０５）。
【００３５】
ステップＳ２０５において、右ドアミラー角度調整信号を取得したと判断された場合（ステップＳ２０５：Ｙｅｓ）、表示制御部１３が、右ドアミラーウインカ５４に所定の点滅パターンによる点滅動作を行わせる（ステップＳ２０６）。そして、ドアミラー表示制御装置１０は、図２に示す一連の処理を終了する。
【００３６】
一方、ステップＳ２０５において、右ドアミラー角度調整信号を取得していないと判断された場合（ステップＳ２０５：Ｎｏ）、情報取得部１１が、ドアミラーＳＷ４０から左ドアミラー角度調整信号を取得したか否かを判断する（ステップＳ２０７）。
【００３７】
ステップＳ２０７において、左ドアミラー角度調整信号を取得したと判断された場合（ステップＳ２０７：Ｙｅｓ）、表示制御部１３が、左ドアミラーウインカ６４に所定の点滅パターンによる点滅動作を行わせる（ステップＳ２０８）。そして、ドアミラー表示制御装置１０は、図２に示す一連の処理を終了する。
【００３８】
一方、ステップＳ２０７において、左ドアミラー角度調整信号を取得していないと判断された場合（ステップＳ２０７：Ｎｏ）、表示制御部１３が、左ドアミラーウインカ６４および右ドアミラーウインカ５４の点滅動作をＯＦＦにする（ステップＳ２０９）。そして、ドアミラー表示制御装置１０は、図２に示す一連の処理を終了する。
【００３９】
以上説明したように、本実施形態のドアミラー表示制御装置１０は、車両が所定の停止状態（本実施形態では、シフトポジションが「Ｐレンジ」であり、且つ、車速が「０」である状態）にあるか否かを判断する停止判断部１２と、停止判断部１２によって車両が所定の停止状態にあると判断されているときに、ユーザによりドアミラーの鏡面角度の調整操作がなされた場合、当該調整操作の対象とされた左ドアミラー６３または右ドアミラー５３に対応する表示部（左ドアミラーウインカ６４または右ドアミラーウインカ５４）に表示動作（点滅動作）を行わせる表示制御部１３とを備える。これにより、本実施形態のドアミラー表示制御装置１０は、角度調整がなされるドアミラーに対応する表示部に表示動作を行わせることができ、したがって、ユーザ操作によってドアミラーの鏡面の角度調整がなされる際に、当該角度調整がなされるドアミラーをユーザが容易に判別できるようにすることができる。
【００４０】
特に、本実施形態のドアミラー表示制御装置１０は、車両が所定の停止状態にあるときに限り、ドアミラーの鏡面の角度調整に伴うドアミラーウインカの点滅動作を行わせるため、当該点滅動作による周囲への影響（例えば、車両の右左折に伴うドアミラーウインカの点滅動作と誤認識しまう等）を抑制することができる。
【００４１】
以上、本発明の好ましい実施形態について詳述したが、本発明はこれらの実施形態に限定されるものではなく、特許請求の範囲に記載された本発明の要旨の範囲内において、種々の変形又は変更が可能である。
【００４２】
例えば、上記実施形態では、「表示部」の一例としてドアミラーウインカを用いているが、これに限らず、例えば、「表示部」として、ドアミラーの鏡面に表示可能なドアミラーインジケータ等を用いてもよい。すなわち、「表示部」は、車両の左右（好ましくは、ドアミラーの近傍）に設けられており、且つ、何らかの表示動作が可能なものであれば、以下なる表示装置であってもよい。
【００４３】
また、「所定の停止状態」の一例として、シフトポジションが「Ｐレンジ」であり、且つ、車速が「０」であることを条件として用いているが、これに限らず、例えば、「所定の停止状態」として、パーキングブレーキ信号が「ＯＮ」であることを含む条件を用いてもよい。
【符号の説明】
【００４４】
１  ドアミラー角度制御システム
２  車載ネットワーク
１０  ドアミラー表示制御装置
１１  情報取得部
１２  停止判断部
１３  表示制御部
２０  ＥＣＵ
４０  ドアミラーＳＷ
４１  切替ＳＷ
４２  角度調整ＳＷ
５０  右ドアミラー部
５２  右ドアミラー角度調整装置
５３  右ドアミラー
５４  右ドアミラーウインカ
６０  左ドアミラー部
６２  左ドアミラー角度調整装置
６３  左ドアミラー
６４  左ドアミラーウインカ
【図１】
2020059294.tif 000003
【図２】
2020059294.tif 000004